(57)【特許請求の範囲】
【請求項１】
ハンドルラッピング装置において、
外面にラップが巻き取られたラップロールと、
一端部に作業者の第１把持領域を提供する固定把持部が形成され、他端部に前記ラップロールが結合される支持棒と、
前記支持棒の外面一側に回転可能に結合され、作業者の第２把持領域を提供する回転把持領域を提供する回転把持部を含めてなり、
前記支持棒は、前記ラップロールを貫通して結合され、前記支持棒には前記ラップロールの両端を前記支持棒に固定するための固定部材が形成され、
前記固定部材は、
前記支持棒の外面一側の内の前記支持棒に結合される前記ラップロールの一端に対応する一側に結合され、前記ラップロールの一端部を支持する第１支持部材、
前記支持棒の外面一側の内の前記支持棒に結合される前記ラップロールの他端に対応する一側に結合され、前記ラップロールの他端部を支持する第２支持部材、及び
前記第２支持部材とは一体又は分離形成され、前記支持棒の他端部に結合され、前記第２支持部材の離脱を防ぐ離脱防止部材を含み、
前記支持棒は、
外面の一側に前記回転把持部が回転可能に結合され、一端部に作業者の第１把持領域を提供する固定把持部が形成された上部支持棒と、
一端部が前記ラップロールに結合され、他段が前記上部支持棒にスライディング可能に結合される下部支持棒、及び
前記上部支持棒と前記下部支持棒の結合の深さを調節するための結合の深さ調節手段が形成され、
前記回転把持部と前記固定把持部を同時に把持して前記上部支持棒の回転を抑止することによって前記ラップに張力を付加できるようにしたことを特徴とするハンドラッピング装置。
【請求項２】
前記回転把持部は、
前記支持棒に回転可能に結合される回転部材、
前記回転部材の両端にそれぞれ位置し、前記支持棒に固定結合され、前記回転部材を支持する一対の支持片、
前記回転部材と前記一対の支持片に挟まれるベアリング部材、を含むことを特徴とする請求項１に記載のハンドラッピング装置。
【発明の詳細な説明】
【技術分野】
【０００１】
この発明は、ハンドラッピング装置に係り、より詳しくは、パレット（Ｐａｌｌｅｔ）に多層積層されるパック及び包装ボックスを堅固に包装するためのハンドラッピング装置に関する。
【背景技術】
【０００２】
一般に、生産ラインで製造される複数の製品の中のパック（Ｐａｃｋ）単位で製造される製品及びボックスに包装された状態で出荷される複数の製品はパレット（Ｐａｌｌｅｔ）上に多数個のパック及びボックスを多層積層した状態で出荷する。
【０００３】
この際、パレット（Ｐａｌｌｅｔ）に多層積層したパック及び包装ボックス内部に収容した内容物が車両の積載及び運送中に発生する衝撃により損傷されないように保護するために外部をラップで巻く作業をすることになる。
【０００４】
すなわち、従来は、パレット（Ｐａｌｌｅｔ）に多層積層されたパック及び包装ボックスの外部をラップで巻く作業を作業者が直接、手作業で行っていて、ラップが巻き取られたラップロールの紙管の端部を作業者が両手で握り、ラップロールに巻き取られたラップに適宜張力がかかるように作業者の両手を用いた把持力でラッピング作業を行っていた。
【０００５】
しかしながら、このようなラッピング作業は、作業者がパレット（Ｐａｌｌｅｔ）に多層積層されたパックおよび包装ボックスの下段部から上段部、上段部から下段部にラッピング作業をする過程において、作業者が腰を曲げ伸ばしする作業を繰り返すことになり、長時間のラッピング作業時、作業者の身体に無理を与えることになり、ラップが巻き取られたラップロールの紙管を手で握りながら作業をすることになり、作業者の指が切れるか磨耗する等の傷害が発生する恐れがあって、このような問題を解消するため手袋をはめるとラップロールの紙管と手袋が程良いスリップ（Ｓｌｉｐ）が行えずラップロールの紙管が回転する際、手袋が巻き込まれ正常なラッピング作業を行えない問題が生じているのが実情である。
【０００６】
よって、最近は、図１に図示したように、紙管３１０の上にラップ３２０が巻き取られたラップロール３００と前記ラップロール３００が着脱する環棒体４００を含むラッピング機２００が提案されたことがある。
【０００７】
前記ラッピング機２００は、前記ラップロール３００の紙管３１０挿入孔３３０に回転可能であるように挿入される安着部４３０、作業者が把持する把持部５００及び安着部４３０先後端にラップロール３００の離脱とズレを防ぐための離脱防止段差４１０及びずれ防止段差４２０からなり、作業者がラッピング機２００の安着部４３０びラップロール３００を取り付けた後、前記把持部５００を両手で握ってラッピング作業をすることにより、ランピング作業の際、作業者に生じる障害を防止できるようになった。
【０００８】
しかし、ラッピング作業過程において、作業者が腰を曲げ伸ばしする繰り返しの作業は、依然として残っており、長時間のラッピング作業時、作業者の身体に無理を与えることになり、安着部４３０に取り付けられ回転するラップロール３００を固定する別途の手段がなく、ラッピング作業の際、ラップ３２０に十分の張力を付加できなくてパレット（Ｐａｌｌｅｔ）に積層した多数のパック及び包装ボックスが緩めにラッピングされるという問題が発生している。
【発明の概要】
【発明が解決しようとする課題】
【０００９】
本発明は、上記のような問題を解決するために案出されたものであって、本発明の目的は、ラッピング作業の際、作業者が腰を曲げずに立った姿勢を維持した状態でラッピング作業が可能であり、別途のストッパー部材により、作業対象物をラッピングするラップに十分な張力を付加できるハンドラッピング装置を提供することにある。
【００１０】
また、支持棒の長さを選択的に調節できるようにしたハンドラッピング装置を提供することにある。
【課題を解決するための手段】
【００１１】
前述のような目的を達成するための本発明は、外面にラップが巻き取られるラップロール及び一端部に作業者の第１把持領域を提供し、他端部に前記ラップロールが結合される支持棒及び前記支持棒の外面の一側に回転が可能であるように結合され、作業者の第２把持領域を提供する回転把持部を含むハンドラッピング装置を提供する。
【００１２】
また、前記支持棒は、前記ラップロールを貫通して結合され、前記ラップロールの両端に前記支持棒を固定するための固定部材が形成されることが好ましい。
【００１３】
また、前記固定部材は、前記支持棒の外面一側の内の前記支持棒に結合される前記ラップロールの一端に対応する一側に結合され、前記ラップロールの一端部を支持する第１支持部材、前記支持棒の外面一側の内の前記支持棒に結合される前記ラップロールの他端に対応する一側に結合され、前記ラップロールの他端部を支持する第２支持部材、及び前記支持棒の他端部に結合され、前記第２支持部材の離脱を防ぐ離脱防止部材、を含むことがより好ましい。
【００１４】
また、前記回転把持部は、前記支持棒に回転可能に結合される回転部材と前記回転部材の両端にそれぞれ位置し、前記支持棒に固定結合され、前記回転部材を支持する一対の支持片と前記回転部材に挟まれるベアリング部材を含むことがさらに好ましい。
【００１５】
また、前記支持棒は、外面一側に前記回転把持部が回転可能に結合され、一端部に前記第１把持領域を提供する上部支持棒と一端部が前記ラップロールに結合され、他端部が前記上部支持棒にスライドできるように結合される下部支持棒と前記上部支持棒と前記下部支持棒の結合深さを調節するための結合深さ調節手段が形成されることが好ましい。
【発明の効果】
【００１６】
上記のような本発明によると、ラッピング作業の際、作業者が腰を曲げず立った姿勢を維持した状態で作業ができ、長時間のラッピング作業にも作業者の身体に無理を与えず、別途のストッパー部材を介して作業対象物をラッピングするラップに十分な張力を付加して作業対象物をより堅固に固定すると共に張力を付加する結果、ラップの消耗が減少し、物流費を節減できる効果がある。
【００１７】
また、結合深さ調節手段を通じて上部支持棒と下部支持棒の結合深さを調節して支持棒全体の長さを調節することによって高い場所に位置したタッピング対象物も容易にラッピングできるようになる。
【図面の簡単な説明】
【００１８】
【図１】従来のハンドラッピング機の全体斜視図である。
【図２】本発明によるハンドラッピング装置の全体斜視図である。
【図３】本発明によるハンドラッピング装置の分解斜視図である。
【図４】本発明によるハンドラッピング装置の断面図である。
【図５】本発明によるハンドラッピング装置を用いて、ラッピング対象物を巻き取る動作を示す概略的な構成図である。
【図６】本発明によるハンドラッピング装置を用いて、ラッピング対象物を巻き取るラップに張力を付加する動作を示す概略的な構成図である。
【図７】本発明によるハンドラッピング装置を用いて、高い位置にあるラッピング対象物を巻き取る動作を示す概略的な構成図である。
【発明を実施するための形態】
【００１９】
以下、図面を参照して本発明をより詳細に説明する。複数の図面の中、同一の構成要素は、何処においてもできるだけ同一の符号で示していることに留意すべきである。また、発明の要旨を不要に不明瞭にする可能性のある公知機能、および構成に関する説明は省略する。
【００２０】
図２は、本発明によるハンドラッピング装置の全体斜視図であり、図３は、本発明によるハンドラッピング装置の分解斜視図であり、図４は、本発明によるハンドラッピング装置の断面図である。
【００２１】
図２乃至図４を参照すると、本発明によるハンドラッピング装置は、外面にラップが巻き取られたラップロール４０、前記ラップロール４０が結合される支持棒１０及び前記支持棒１０の外面一側に回転可能に結合される回転把持部３０を含めて構成される。
【００２２】
ラップロール４０は、厚い紙材質からなる管体すなわち、紙管４０ａの外面にラップ４０ｂが重なって巻き取られる構造を有し、紙管４０ａに形成された挿入孔４０ｃは外部装置との結合空間を提供する。
【００２３】
支持棒１０は、内部に中空が形成された円形の棒状として一体に形成することもできるが、本実施例においては、上部支持棒１０ａと下部支持棒１０ｂ及び結合深さ調節手段２０で形成された２段構造を説明する。
【００２４】
上部支持棒１０ａは、一端部に作業者の第１把持領域を提供する固定把持部１１が形成され、他端部の外面一側にはかかる突起２０ａが形成される。
【００２５】
ここで、かかる突起２０ａは、Ａ−Ａ部分の断面を拡大した拡大図に図示したように、上部支持棒１０ａの一側の内部に溝部２１を形成し、溝部２１にかかる突起２０ａが上部支持棒１０ａの内部にかかる結合されるように形成し、かかる突起２０ａが上部支持棒１０ａの外面に露出した状態で溝部２１とかかる突起２０ａに弾性部材２２を介在していて、平常にはかかる突起２０ａが上部支持棒１０ａの外面に露出した状態を維持し、作業者の押す操作により上部支持棒１０ａの内部に形成された溝部２１に移動できるように形成する。
【００２６】
下部支持棒１０ｂは、一端部がラップロール４０の紙管４０ａに形成された挿入孔４０ｃを貫通して結合され、他端部は上部支持棒１０ａより大きい直径で形成され、内周面に上部支持棒１０ａがスライディングできるように結合される。
【００２７】
また、ラップロール４０と結合される下部支持棒１０ｂの一端部には雄ねじ山が形成される。
【００２８】
そして、上部支持棒１０ａがスライディングできるように結合される下部支持棒１０ｂの他端部外面の一側には長方向に上部支持棒１０ａに形成されたかかる突起２０ａに対応して結合する複数個のかかる溝２０ｂが形成される。
【００２９】
上記のように、上部支持棒１０ａに形成されたかかる突起２０ａ、下部支持棒１０ｂに形成された複数個のかかる溝２０ｂで形成された結合深さ調節手段２０により上部支持棒１０ａが下部支持棒１０ｂの内周面に結合する際に、上部支持棒１０ａに形成されたかかる突起２０ａが下部支持棒１０ｂに形成されたかかる溝２０ｂにかかる結合され堅固に固定される。
【００３０】
そして、作業者が上部支持棒１０ａの形成されたかかる突起２０ａを押し操作して下部支持棒１０ｂに形成された複数のかかり溝２０ｂの内のいずれか１つを選択して結合することによって、上部支持棒１０ａが結合された支持棒１０の全体長さを調節できるようになり、高いところに位置したラッピング対象物も容易に作業できるようになる。
【００３１】
上記に記載の実施例は、支持棒１０の２段構造を説明しているが、２段以上で形成することができることは当然である。
【００３２】
また、下部支持棒１０ｂは、一側に下部支持棒１０ｂの一端部を貫通して結合されるラップロール４０の両端を固定支持し、ラップロール４０が下部支持棒１０ｂの外部に離脱することを防止するための固定部材５０をさらに含めてなる。
【００３３】
ここで、固定部材５０は、下部支持棒１０ｂを貫通して結合されるラップロール４０の内側端が位置する下部支持棒１０ｂの一側に固定結合され、ラップロール４０の内側端を支持する第１支持部材５０ａ、下部支持棒１０ｂを貫通して結合されるラップロール４０の外側端に結合される離脱防止部材５０ｃを含めてなる。
【００３４】
第１支持部材５０ａは、中央に貫通孔５３が形成され、下部支持棒１０ｂを貫通して結合され、下部支持棒１０ｂに貫通結合されたラップロール４０の内側端が位置する下部支持棒１０ｂの一側に固定結合される。
【００３５】
そして、第１支持部材５０ａは、ラップロール４０に形成された挿入孔４０ｃに結合されてラップロール４０を固定する挿入部５１とラップロール４０の紙管の直径より大きく形成され、ラップロール４０を支持すると共に離脱を防ぐ受け部５２で形成される。
【００３６】
第２支持部材５０ｂは、第１支持部材５０ａと同様な形状で形成され、下部支持棒１０ｂに貫通結合されたラップロール４０の外側端が位置する下部支持棒１０ｂの一側に着脱できるように結合される。
【００３７】
離脱防止部材５０ｃは、下部支持棒１０ｂに結合される内周面に下部支持棒１０ｂの一端部に形成された雄ねじ山に対応するように結合される雌ねじ山が形成されて下部支持棒１０ｂに一端部にねじ結合されることによって、第２支持部材５０ｂが下部支持棒１０ｂの外部に離脱されることを防ぐと共に、第２支持部材５０ｂを内側に加圧して第２支持部材５０ｂが下部支持棒１０ｂの内側に固定結合された第１支持部材５０ａと共にラップロール４０の両端を堅固に固定できるようにする役割を果たす。
本実施例においては、離脱防止部材５０ｃと第２支持部材５０ｂを分離して形成する例を示しているが、本発明はこれに限らず、離脱防止部材５０ｃと第２支持部材５０ｂを一体に形成することもできる。
【００３８】
回転把持部３０は、回転部材３０ａ、回転部材３０ａの両端が位置する上部支持棒１０ａの一側にそれぞれ固定結合されて回転部材３０ａを支持する一対の支持片３０ｂ及び回転部材３０ａと一対の支持片３０ｂに挟まれるベアリング部材３０ｃを含めてなる。
【００３９】
回転把持部３０は、円筒状の管体であって両端部の外側に延長して形成される環段差が形成され、上部支持棒１０ａに形成されたかかる突起２０ａと固定把持部１１との間に回転できるように結合され、作業者に第２把持領域を提供する。
【００４０】
支持片３０ｂは、回転部材３０ａの両端の直径と同一の直径を有する円板状であり、回転部材３０ａの両端が位置する上部支持棒１０ａの一側にそれぞれ固定結合され回転部材３０ａを支持し、回転部材３０ａが上部支持棒１０ａの外部に離脱されることを防ぐ役割を果たす。
【００４１】
ベアリング部材３０ｃは、回転部材３０ａと一対の支持片３０ｂに挟まれ、回転部材３０ａが円滑に回転できるようにする役割を果たす。
【００４２】
図５は、本発明によるハンドラッピング装置を用いてラッピング対象物を巻き取る動作を示す概略的な構成図であり、図６は、本発明によるハンドラッピング装置を用いてラッピング対象物に巻き取られるラップに張力を付加する動作を示す概略的な構成図であり、図７は、本発明によるハンドラッピング装置を用いて高い位置にあるラッピング対象物を巻き取る動作を示す概略的な構成図である。
【００４３】
図５乃至図６を参照すると、本発明によるハンドラッピング装置の使い方を説明すると、ラップロールの巻き取られたラップの端段をパレットに積載されたラッピング対象物の一側に取り付け、作業者が両手で回転把持部のみを把持した状態でラッピング対象物がラッピングされる方向に動くと、回転把持部に結合された上部支持棒が回転することによって上部支持棒に結合した下部支持棒、及び、ラップロールが回転するようになり、ラップロールに巻き取られたラップが解けつつラッピング対象物をラッピングする。
【００４４】
また、ラッピング対象物を堅固にラッピングするためには、ラッピング対象物にラッピングされるラップに十分の張力を付加する必要があるが、ラッピング対象物に張力を付加する際に作業者が回転把持部を把持した両手の中の片手で固定把持部を把持するようになると、上部支持棒の回転が抑制され、これにより上部支持棒に結合し、共に回転する下部支持棒および下部支持棒に結合されたラップロールの回転が抑制される。
【００４５】
この時、作業者が回転把持部と固定把持部を把持した状態で、ラッピング対象物がラッピングされる方向に力を印加すると、ラップに張力を付加でき、ラッピング対象物を堅固に包装できると共に張力が付加される結果、ラッピング対象物に巻き取られるラップの消耗が減少して物流費を節減できることになる。
【００４６】
図７を参照すると、ラッピング対象物を積載したパレットが多段に積層され、ラッピング対象物が高い位置にある場合、本発明のハンドラッピング装置の上部支持棒と下部支持棒に形成された結合深さ調節手段を用いて支持棒全体の長さをラッピング対象物をラッピングできる長さに調節した後、ハンドラッピング装置の方向を逆にして把持し、ラッピング対象物の下段一側にラップの端段を取り付けた作業者が両手で回転把持部のみを把持した状態でラッピング対象物がラッピングされる方向に動くと、回転把持部に上部支持棒が回転することによって上部支持棒と結合された下部支持棒および下部支持棒に結合されたラップロールが回転するようになりラップロールに巻き取られたラップが解けつつラッピング対象物をラッピングすることになる。
【００４７】
そして、ラッピング対象物に張力を付加する際にも、同様に作業者が回転把持部を把持した両手の中の片手で固定把持部を把持した状態でラッピング対象物をラッピングする方向に力を印加すると、支持棒および支持棒と共に回転するラップロールの回転が抑制され、ラップに両手の力を付加できるようになる。
【００４８】
本発明は上記のように好ましい複数の実施例に関連して説明したが、発明の要旨と範囲から外れることなく、多様な修正及び変形が可能であり、特許請求範囲は、本発明の要旨に属するこのような修正及び変形を含むものである。
【産業上の利用可能性】
【００４９】
本発明は、作業者が立った姿勢を維持した状態でラッピング作業ができるだけではなく、高いところに位置したラッピング対象物も容易に作業できるようにしたハンドラッピング装置に関するものであり、物流センタ等のようにラップを用いて物品をラッピングする作業が主に行われる産業現場で有効に使用可能である。
【図１】
0005952496.tif 000002
【図２】
0005952496.tif 000003
【図３】
0005952496.tif 000004
【図４】
0005952496.tif 000005
【図５】
0005952496.tif 000006
【図６】
0005952496.tif 000007
【図７】
0005952496.tif 000008